(57)【要約】【課題】損傷しにくい筆記用ボードを提供する。【解決手段】筆記用ボード１は、一方の面が筆記面１ａであるボード部１０と、ボード部１０の筆記面１ａとは反対側の面である下面に貼付されボード部１０の外形よりも小さい外形である上板材２１と、上板材２１よりも下側の部分を形成しボード部１０の外形と同外形であり上板材２１と段２３を形成するように貼付された下板材２２とを有し、ボード部１０をよりも高い剛性を有するベース部２０と、を備える。【選択図】図１
2015205471.tif 000002
【特許請求の範囲】
【請求項１】
一方の面が筆記面であるボード部と、
前記ボード部の筆記面とは反対側の面である下面に貼付され前記ボード部の外形よりも小さい外形である第１板部と、前記第１板部よりも下側の部分を形成し前記ボード部の外形と同外形であり前記第１板部と段を形成するように貼付された第２板部とを有し、前記ボード部よりも高い剛性を有するベース部と、
を備える筆記用ボード。
【請求項２】
請求項１に記載の筆記用ボードにおいて、
前記第１板部及び前記第２板部は、個別の板材であり、
前記ベース部は、前記第１板部及び前記第２板部の間を接着して形成されていること、
を特徴とする筆記用ボード。
【請求項３】
請求項１又は請求項２に記載の筆記用ボードにおいて、
前記ボード部のコーナ部は、角から内側に向け切断されたスリットを備えること、
を特徴とする筆記用ボード。
【請求項４】
請求項１から請求項３のいずれかに記載の筆記用ボードにおいて、
前記ベース部は、発泡樹脂板材を備えること、
を特徴とする筆記用ボード。
【請求項５】
請求項１から請求項４のいずれかに記載の筆記用ボードにおいて、
前記ボード部の折り線で２つ折りすることにより、折り畳み可能であり、
２つの前記ベース部が、前記ボード部の前記折り線を介して配置されていること、
を特徴とする筆記用ボード。
【請求項６】
請求項５に記載の筆記用ボードにおいて、
前記折り線を介した一方の部分の長さが他方の部分の長さよりも長く、
折り畳んだ状態において、前記一方の部分の端部が前記他方の部分の端部からはみ出すこと、
を特徴とする筆記用ボード。
【発明の詳細な説明】
【技術分野】
【０００１】
本発明は、筆記面を有する筆記用ボードに関するものである。
【背景技術】
【０００２】
従来、表面に書き込み面を有し、持ち運び可能なボードがあった（例えば特許文献１）。
しかし、従来のボードは、落下等により縁部に負荷がかかると、縁部が損傷しやすかった。
【先行技術文献】
【特許文献】
【０００３】
【特許文献１】特開２０１１−２５６３０号公報
【発明の概要】
【発明が解決しようとする課題】
【０００４】
本発明の課題は、損傷しにくい筆記用ボードを提供することである。
【課題を解決するための手段】
【０００５】
本発明は、以下のような解決手段により、課題を解決する。なお、理解を容易にするために、本発明の実施形態に対応する符号を付して説明するが、これに限定されるものではない。また、符号を付して説明した構成は、適宜改良してもよく、また、少なくとも一部を他の構成物に代替してもよい。
【０００６】
・第１の発明は、一方の面が筆記面（１ａ，２０１ａ）であるボード部（１０，２１０）と、前記ボード部の筆記面とは反対側の面である下面に貼付され前記ボード部の外形よりも小さい外形である第１板部（２１）と、前記第１板部よりも下側の部分を形成し前記ボード部の外形と同外形であり前記第１板部との間に段を形成する第２板部（２２）とを有し、前記ボード部よりも高い剛性を有するベース部（２０，２２０Ｌ，２２０Ｒ）と、を備える筆記用ボードである。
・第２の発明は、第１の発明の筆記用ボードにおいて、前記第１板部（２１）及び前記第２板部（２２）は、個別の板材であり、前記ベース部（２０，２２０Ｌ，２２０Ｒ）は、前記第１板部及び前記第２板部の間を接着して形成されていること、を特徴とする筆記用ボードである。
・第３の発明は、第１又は第２の発明の筆記用ボードにおいて、前記ボード部（１０，２１０）のコーナ部（１５）は、角（１６）から内側に向け切断されたスリット（１４，２１４）を備えること、を特徴とする筆記用ボードである。
・第４の発明は、第１から第３のいずれかの発明の筆記用ボードにおいて、前記ベース部（２０，２２０Ｌ，２２０Ｒ）は、発泡樹脂板材（２１ａ，２２ａ）を備えること、を特徴とする筆記用ボードである。
・第５の発明は、第１から第４のいずれかの発明の筆記用ボードにおいて、前記ボード部（２１０）の折り線（２１０ｃ）で２つ折りすることにより、折り畳み可能であり、２つの前記ベース部（２２０Ｌ，２２０Ｒ）が、前記ボード部の前記折り線を介して配置されていること、を特徴とする筆記用ボードである。
・第６の発明は、第５の発明の筆記用ボードにおいて、前記折り線（２１０ｃ）を介した一方の部分（２０１Ｌ）の長さ（Ｘ２１０Ｌ）が他方の部分（２０１Ｒ）の長さ（Ｘ２１０Ｒ）よりも長く、折り畳んだ状態において、前記一方の部分の端部（２０１ｄ）が前記他方の部分の端部（２０１ｅ）からはみ出すこと、を特徴とする筆記用ボードである。
【発明の効果】
【０００７】
本発明によれば、損傷しにくい筆記用ボードを提供できる。
【図面の簡単な説明】
【０００８】
【図１】第１実施形態の筆記用ボード１を示す図である。
【図２】第１実施形態の筆記用ボード１の断面図である。
【図３】第１実施形態のコーナ部１５に、圧縮方向（厚さ方向Ｚ）に負荷Ｆが加わった状態を断面図である。
【図４】第１実施形態の筆記用ボード１を４枚連結した状態を示す図である。
【図５】第２実施形態の筆記用ボード２０１を開いた状態を示す図である。
【図６】第２実施形態の筆記用ボード２０１を折り畳んだ状態を示す図である。
【発明を実施するための形態】
【０００９】
（第１実施形態）
以下、図面等を参照して、本発明の第１実施形態について説明する。
図１は、第１実施形態の筆記用ボード１を示す図である。
図１（Ａ）は、上面（筆記面１ａ）から見た図である。
図１（Ｂ）は、下面（筆記面１ａとは反対側の面）から見た図である。
図１（Ｃ）は、図１（Ａ）のコーナ部１５の拡大図である。
図２は、第１実施形態の筆記用ボード１の断面図である。
図２（Ａ）は、図１（Ａ）の２Ａ−２Ａ部断面図である。
図２（Ｂ）は、ボード部１０の縁部１７を、ベース部２０の接着層２１ｂに接着した状態を示す図である。
図２（Ｃ）は、接着層２１ｂの大きさを小さくした形態を示す図である。
なお、実施形態、図面では、説明と理解を容易にするために、ＸＹＺ直交座標系を設けた。この座標系は、図１（Ａ）の状態を基準に筆記用ボード１の左右方向Ｘ、縦方向Ｙ、厚さ方向Ｚを表す。
【００１０】
筆記用ボード１は、ボード部１０の上面である筆記面１ａにフェルトペン等で文字１ｂ等を筆記する筆記具である。筆記されたフェルトペン等のインクは、布等でふき取ることにより消去できる。このため、筆記用ボード１は、繰り返し筆記できる。
筆記用ボード１は、脚等を備えておらず、持ち運び可能な大きさである。筆記用ボード１の大きさは、例えばＩＳＯ２１６のＡ２サイズ（縦方向Ｙの長さ×左右方向Ｘの長さ＝４２０ｍｍ×５９４ｍｍ）程度である。
【００１１】
（筆記用ボード１の構成）
筆記用ボード１は、ボード部１０、ベース部２０、磁石３０を備える。
ボード部１０は、ボード本体１１、鉄粉シート１２、発泡樹脂シート１３が、上側Ｚ２からこの順で積層されている。ボード部１０の厚さは、例えば１ｍｍ程度である。
ボード本体１１は、ＰＥＴシート等である。ボード本体１１の上面（一方の面）は、白色系である。この面は、筆記面１ａである。
【００１２】
鉄粉シート１２は、鉄粉が練り込まれたシート材である。鉄粉シート１２は、磁石が付着する。このため、筆記用ボード１は、メモの紙片、写真等を、磁石を用いて、筆記面１ａに貼り付けることができる。
発泡樹脂シート１３は、樹脂（アクリル、ウレタン等）の発泡シートである。
【００１３】
ボード部１０は、スリット１４を備える。
スリット１４は、４つのコーナ部１５にそれぞれ設けられている。スリット１４は、段２３（後述する）に対応する範囲である縁部１７を、コーナ部１５を２分するように切断されて形成されている。スリット１４は、コーナ部１５の角１６から上板材２１（後述する）の角２１ｃまでの範囲に設けられている。
ボード部１０の外形は、ベース部２０の上板材２１（後述する）の外形よりも大きい。このため、ボード部１０の縁部１７は、ベース部２０の下板材２２（後述する）から浮いた状態になっている。縁部１７の幅Ｌ１７は、例えば１２ｍｍ程度である。
【００１４】
ベース部２０は、上板材２１（第１板部）、下板材２２（第２板部）が上側Ｚ２からこの順で積層されている。つまり、上板材２１、下板材２２は、個別の板材である。
ベース部２０は、上板材２１、下板材２２が積層された状態で、ボード部１０をよりも高い剛性を有する。
【００１５】
上板材２１は、ボード部１０の筆記面１ａとは反対側の面である下面に貼付される。上板材２１は、ベース部２０のうちの上側Ｚ２の部分を形成する。上板材２１の外形は、ボード部１０の外形よりも小さい。
上板材２１は、基材２１ａ、接着層２１ｂを備える。
基材２１ａは、樹脂（アクリル、ウレタン等）の発泡板材である。基材２１ａの厚さは、例えば３ｍｍ程度である。
接着層２１ｂは、両面粘着シートである。接着層２１ｂは、基材２１ａの上面に積層されている。接着層２１ｂは、ボード部１０及び上板材２１の層間を接着（貼付）する。
【００１６】
下板材２２は、上板材２１よりも下側Ｚ１の部分を形成する。ＸＹ平面において、下板材２２の外形と、ボード部１０の外形とは、同じ外形である。従って、下板材２２の外形は、上板材２１の外形よりも大きい。このため、上板材２１、下板材２２は、積層されることにより、段２３を形成する。
このように、下板材２２の外形は、ボート部１０と同じ外形であり、かつ、下板材２２との間で段２３を形成できる程度であればよい。この同じ外形の程度は、下板材２２の外形及びボート部１０の外形の差が、例えば１０ｍｍ程度まで含まれる。
【００１７】
下板材２２は、基材２２ａ、接着層２２ｂを備える。
基材２２ａは、基材２１ａと同様な樹脂により形成される発泡板材である。また、基材２２ａの厚さは、基材２１ａの厚さと同様である。
接着層２２ｂは、接着層２１ｂと同様な両面粘着シートである。接着層２２ｂは、基材２２ａの上面に積層されている。接着層２２ｂは、基材２１ａ，２２ａの層間を接着（貼付）する。
なお、必要に応じて、縁部１７は、撓ませて接着層２２ｂに接着してもよい（図２（Ｂ）参照）。
【００１８】
このように、上板材２１及び下板材２２は、同様な板材により形成される。このため、ベース部２０は、同じ材料の板材を異なる大きさに切断し、これらを積層することにより製造することができる。
また、粘着層が予め設けられた板材を購入して切断すれば、上板材２１、下板材２２を製造できる。このため、ベース部２０は、容易に製造できる。
さらに、基材２１ａ，２２ａは、発泡樹脂であるので、木製等の板材に比較すると、軽量である。Ａ２サイズの筆記用ボード１を試作してみたところ、質量は、６５０ｇ程度であった。
【００１９】
図２（Ｃ）に示すように、板材、粘着層として別々の部材を用意する場合には、下板材２２の基材２２ａと、接着層２２ｂを同じ大きさにしてもよい。この形態の場合には、接着層２２ｂが外部に露出しないので、異物の付着を抑制できる。
【００２０】
磁石３０は、筆記用ボード１を鉄製の壁等に着脱可能に取り付けるための部材である。磁石３０は、ベース部２０の下板材２２の下面に固定されている。
複数枚の筆記用ボード１を重ねた状態では、磁石３０は、他の筆記用ボード１の鉄粉シート１２を引き寄せる。このため、複数枚の筆記用ボード１は、重ねられた状態では、その状態を維持しようとする。このため、複数枚の筆記用ボード１は、保管、運搬時等の取扱いが容易である。
【００２１】
（筆記用ボード１の強度）
ボード部１０の剛性、弾性は、縁部１７が自重によっても撓まない程度である。このため、通常の保管時、使用時には、ボード部１０の縁部１７は、下板材２２から浮いた状態を維持する。
ベース部２０は、ボード部１０をよりも高い剛性を有する。このため、筆記用ボード１は、ベース部２０の強度によって、平板状の形状が維持される。
また、ベース部２０は、２枚の上板材２１及び下板材２２が接着層２２ｂで接着されている。このため、上板材２１及び下板材２２は、面方向（ＸＹ平面方向）のずれが抑制される。これにより、ベース部２０は、１枚の板材によって形成するよりも、曲げ方向の形状が安定しているので、反り等の変形を抑制できる。
【００２２】
使用時等に、筆記用ボード１を床に落下したり、他の部材等にぶつけたりすることにより、ボード部１０の縁部１７に大きな負荷が加わる場合には、ボード部１０の縁部１７が撓む（図２（Ａ）に示す矢印Ａ１７参照）。また、負荷が除去されると、ボード部１０の縁部１７は、例えば、ボード部１０の弾性によって、もとの状態に復元する。
このように、筆記用ボード１は、縁部１７に負荷が加わった場合には、ボード部１０が撓む（つまり屈曲する）ことにより、床、他の部材等の損傷を抑制できる。また、縁部１７は、ボード部１０の全周に設けられているので、筆記用ボード１は、ボード部１０自体の全周の損傷も、抑制できる。
【００２３】
また、ベース部２０が変形する程度の大きな負荷が加わった場合には、ベース部２０の縁部には、皺等が生成されたりして変形する。この場合、主に、下板材２２の縁部が変形することになる。
ここで、前述したように、ボード部１０の縁部１７は、下板材２２に接着されておらず、下板材２２から浮いた状態である。このため、ボード部１０の縁部１７は、下板材２２の変形に起因して、大きく変形しない。つまり、ベース部２０の縁部が変形した場合でも、ボード部１０へ与える影響が少なく、筆記面１ａの外観を維持できるし、また、筆記しやすさがほとんど変化ない。このため、筆記用ボード１の品質は、ほとんど低下しない。
【００２４】
図３は、第１実施形態のコーナ部１５に、圧縮方向（厚さ方向Ｚ）に負荷Ｆが加わった状態を断面図である。
図３（Ａ）は、図１のコーナ部１５の断面図（矢印３Ａ−３Ａ部断面図）である。
図３（Ｂ）、図３（Ｃ）は、比較例１０１の断面図である。
なお、図３は、図示を簡略してボード部１０を１枚の層構成とした。
図３（Ａ）に示すように、ボード部１０のコーナ部１５は、厚さ方向Ｚの負荷Ｆが加わると、下側Ｚ１に撓んで、ベース部２０の下板材２２に密着しようとする。コーナ部１５は、上板材２１、下板材２２の表面形状に倣って変形しようとするので、余剰部が発生することになる。コーナ部１５は、スリット１４を有しているので、スリット１４を介した両側の部分１０ａ，１０ｂが重なり合う。
このため、コーナ部１５は、負荷Ｆが除去されることにより、もとの状態（図１（Ｂ）の状態）に復元した状態では、もとの外観を維持できる。
【００２５】
これに対して、図３（Ｂ）、図３（Ｃ）に示すように、比較例１０１は、スリット１４を備えていない。このため、コーナ部１１５のボード部１１０が重なり合うことにより、折り線１１０ａが形成されてしまう。そのため、比較例１０１は、負荷Ｆが除去されることにより、もとの状態に復元した状態では、ボード部１１０に皺が形成されてしまうので、外観の品質が低下してしまう。
【００２６】
（使用態様）
前述したように、ベース部２０の基材２１ａ，２１ａは、発泡樹脂により形成されている。また、筆記用ボード１の大きさは、例えばＡ２サイズ程度である。このため、筆記用ボード１は、一般的なホワイトボードに比較すると、小型かつ軽量である。このため、使用者は、脇等に抱えて、容易に持ち運びできるし、省スペースで収納できる。
【００２７】
また、筆記用ボード１は、壁に掲げて使用するだけでなく、筆記面１ａが水平面に平行になるように会議室等の机上に乗せた状態で使用できる。この場合には、机上の筆記用ボード１を囲んで、会議の参加者が議論したりすることができる。なお、ベース部２０の基材２１ａ，２１ａは、発泡樹脂であるので、通常は、机を傷つけたりすることがない。会議を中断する場合等でも、筆記用ボード１は、小型、軽量であるので、筆記した内容を消さずに、そのまま会議室等から持ち出すことができ、利便性がよい。
また、使用者は、不在や、スケジュール等を、周囲の人に伝えるために、自分の机に立てかけたりして、使用することができる。この場合にも、ベース部２０の基材２１ａ，２１ａは、発泡樹脂であり、かつ、ボード部１０の縁部１７が撓むので、通常は、机や事務機器（パーソナルコンピュータ等）を傷つけたりすることがない。
【００２８】
図４は、第１実施形態の筆記用ボード１を４枚連結した状態を示す図である。
図４に示すように、筆記用ボード１は、複数枚を連結して使用できる。連結する枚数は、４枚に限らず、３枚以下、５枚以上で合ってもよい。
このように、筆記用ボード１は、連結することにより、大きな筆記スペースを設けることができる。
【００２９】
以上説明したように、本実施形態の筆記用ボード１は、小型かつ軽量であり、また、負荷がかかった場合の損傷を抑制できる。
【００３０】
（第２実施形態）
次に、本発明の第２実施形態について説明する。
なお、以下の説明及び図面において、前述した第１実施形態と同様の機能を果たす部分には、末尾（下２桁）に同一の符号を適宜付して、重複する説明を適宜省略する。
【００３１】
図５は、第２実施形態の筆記用ボード２０１を開いた状態を示す図である。
図５（Ａ）は、上面（筆記面２０１ａ）から見た図である。
図５（Ｂ）は、断面図である。
図５（Ｃ）は、下面（筆記面２０１ａとは反対側の面）から見た図である。
図６は、第２実施形態の筆記用ボード２０１を折り畳んだ状態を示す図である。
図６（Ａ）は、筆記面２０１ａから見た図である。
図６（Ｂ）は、断面図である。
なお、図５、図６は、ボード部２１０、ベース部２２０Ｌ，２２０Ｒを、簡略して１枚の層構成として図示するが、実際には、第１実施形態と同様に、複数の層が積層されて構成されている。つまり、ボード部２１０は、ボード本体、鉄粉シート、発泡樹脂シートが積層されている。ベース部２２０Ｌ，２２０Ｒは、それぞれ上板材（第１板部）、下板材（第２板部）が、段２２３Ｌ，２２３Ｒを形成するように積層されている。
【００３２】
図５に示すように、筆記用ボード２０１は、１枚のボード部２１０に、２つのベース部２２０Ｌ，２２０Ｒがそれぞれ積層されて構成されている。つまり、筆記用ボード２０１は、左部２０１Ｌ、右部２０１Ｒが、左右方向Ｘに連設されたような形態である。
図６に示すように、ボード部２１０は、筆記面２０１ａが外側になるように、折り線２１０ｃで２つ折りに折ることにより、２つに折り畳み可能である。
筆記用ボード２０１を開いた状態（図５の状態）の大きさは、例えばＩＳＯ２１６のＡ１サイズ（縦方向Ｙの長さ×左右方向Ｘの長さ＝５９４ｍｍ×８４１ｍｍ）程度である。
【００３３】
図５に示すように、ボード部２１０は、折り線２１０ｃを介して、ボード部２１０Ｌ，２１０Ｒを備える。左右方向Ｘにおいて、ボード部２１０Ｌの長さＸ２１０Ｌ（つまり左部２０１Ｌの長さ）は、ボード部２１０Ｒの長さＸ２１０Ｒ（つまり右部２０１Ｒの長さ）よりも長い。
ベース部２２０Ｌは、ボード部２１０Ｌに積層されている。一方、ベース部２２０Ｒは、ボード部２１０Ｒに積層されている。
左右方向Ｘにおいて、ベース部２２０Ｌ，２２０Ｒの長さは、ボード部２１０Ｌ、２１０Ｒの長さに対応している。このため、ベース部２２０Ｌの長さＸ２２０Ｌは、ベース部２２０Ｒの長さＸ２２０Ｒよりも長い。
ベース部２２０Ｌの磁石２３０Ｌと、ベース部２２０Ｒの磁石２３０Ｒとは、折り線２１０ｃを対称軸として、左右対称に配置されている。
【００３４】
以上説明したように、筆記用ボード２０１は、折り畳み可能であるので、大きな筆記面２０１ａを備えていても、省スペースで収納できる。
また、筆記用ボード２０１は、折り畳み状態では、以下の作用・効果を奏する。
（１）ベース部２２０Ｌの磁石２３０Ｌと、ベース部２２０Ｒの磁石２３０Ｒとが引き合うので、筆記用ボード２０１は、折り畳み状態を安定して維持できる。
（２）筆記面２０１ａが外側の面であるため、筆記用ボード２０１は、折り畳み状態であっても文字２０１ｂ等（筆記内容）を視認できる。
（３）左右方向Ｘにおいて、筆記用ボード２０１は、前述した構成を有する。このため、左部２０１Ｌの端部２０１ｄは、右部２０１Ｒの端部２０１ｅからはみ出す。これにより、折り畳み状態の厚さが厚くなっても、使用者は、端部２０１ｄを手で容易に掴むことができる。このため、筆記用ボード２０１は、折り畳み状態において、容易に取り扱うことができる。
（４）図６（Ｂ）に示すように、厚さ方向Ｚにおいて、段２２３Ｌ，２２３Ｒは、重なるように配置される。これにより、折り曲げ部Ａにおけるベース部２２０Ｌ，２２０Ｒの断面形状は、厚さ方向Ｚの中心に向かう程、左側Ｘ１に突出するような形状になる。これにより、ボード部２１０は、この断面形状に倣って、ストレスを軽減した状態で、自然な形状（図６（Ｂ）に示す曲線Ｂ参照）に湾曲できる。
【００３５】
以上、本発明の実施形態について説明したが、本発明は前述した実施形態に限定されるものではなく、例えば、後述する変形形態等のように種々の変形や変更が可能であって、それらも本発明の技術的範囲内である。また、実施形態に記載した効果は、本発明から生じる最も好適な効果を列挙したに過ぎず、本発明による効果は、実施形態に記載したものに限定されない。なお、前述した実施形態及び後述する変形形態は、適宜組み合わせて用いることもできるが、詳細な説明は省略する。
【００３６】
（変形形態）
（１）実施形態において、筆記面は、白色系である例を示したが、これに限定されない。筆記面は、他の色彩（例えば、黒色系、緑色系等）でもよい。
【００３７】
（２）実施形態において、ベース部は、異なる大きさの板材（上板材、下板材）を積層されている例を示したが、これに限定されない。ベース部は、１枚の板材により形成されていてもよい。１枚の板材の形態の場合には、熱プレス等によって板材の周囲に段を加工することにより、段の上側部分（第１板部）、段の下側部分（第２板部）を設ければよい。この形態は、部品点数を削減できる。
【符号の説明】
【００３８】
１，２０１…筆記用ボード
１ａ，２０１ａ…筆記面
１０，２１０…ボード部
１４，２１４…スリット
１５…コーナ部
１６…角
１７…縁部
２０，２１０Ｌ，２１０Ｒ…ベース部
２１…上板材
２１ａ，２２ａ…基材
２１ｂ，２２ｂ…接着層
２２…下板材
２３，２２３Ｌ，２２３Ｒ…段
３０，２３０Ｌ，２３０Ｒ…磁石
２０１ｄ…右端部
２０１ｅ…左端部
２１０ｃ…折り線
２２０Ｌ…ベース部
２２０Ｒ…ベース部
【図１】
2015205471.tif 000003
【図２】
2015205471.tif 000004
【図３】
2015205471.tif 000005
【図４】
2015205471.tif 000006
【図５】
2015205471.tif 000007
【図６】
2015205471.tif 000008